(57)【要約】【課題】入力音から抽出した音声区間に基づいて、また、補聴器を装着している者による骨振動の音声を抽出することにより、出力音の開閉を制御することができ、以て音声でのみ動作し、しかも、装着者自身の発声時における違和感が生じない補聴器を提供することを課題とする。【解決手段】音を入力する集音マイクロホン１と、集音マイクロホン１により入力された音が音声か非音声かの判別をし、音声との判別をした場合にスピーカ４により出力される音声を出力するＤＳＰ２と、ＤＳＰ２により判別された音声を増幅するアンプ３と、アンプ３により増幅された音声を出力するスピーカ４と、ＤＳＰ２に接続される装着者の音声を入力する骨伝導マイクロホン５とを備え、骨伝導マイクロホン５からの出力によってＤＳＰ２の動作を制御可能にした。【選択図】図１
2009212715.tif 000002
【特許請求の範囲】
【請求項１】
音を入力する集音マイクロホンと、前記集音マイクロホンにより入力された音が音声か非音声かの判別をし、音声との判別をした場合にスピーカにより出力される音声を出力するＤＳＰと、前記ＤＳＰにより判別された音声を増幅するアンプと、前記アンプにより増幅された音声を出力する前記スピーカと、前記ＤＳＰに接続され、装着者の音声を入力する骨伝導マイクロホンとを備え、前記骨伝導マイクロホンからの出力によって前記ＤＳＰの動作を制御可能にしたことを特徴とする補聴器。
【請求項２】
前記骨伝導マイクロホンと前記ＤＳＰとの間に、装着者の音声の骨伝導の範囲の周波数のみを通すバンドパスフィルタを介在させた、請求項１に記載の補聴器。
【請求項３】
前記スピーカは骨伝導スピーカである、請求項１に記載の補聴器。
【請求項４】
メガネ型に構成し、前記骨伝導マイクロホンを前記メガネのテンプルに内蔵し、前記骨伝導スピーカを前記メガネのモダンの先端部に内蔵して成る、請求項３に記載の補聴器。
【請求項５】
前記骨伝導スピーカはヘッドバンドに組み込まれる、請求項３に記載の補聴器。
【請求項６】
前記骨伝導スピーカはスロートマイクである、請求項３に記載の補聴器。
【発明の詳細な説明】
【技術分野】
【０００１】
本発明は補聴器、より詳細には、集音した音の種類により、また、補聴器の装着者が発する音声に基づいて、出力する音を制御することができる補聴器に関するものである。
【背景技術】
【０００２】
従来の補聴器の場合は、音声と音声以外の音を区別することなく、取り込んだ音を増幅し、補聴器を装着している者にその増幅した音を出力するために、風雑音、ドアの閉まる音、物が落下したときの音等のような、音声以外の環境音が高くなると、その補聴器を装着している者に不快感を与えるという問題点を有していた。
【０００３】
そのため、例えば、非音声区間での環境音の過大な聞こえを防止するとともに、音声区間での音声の聞き取り易さを向上させる聴覚補助装置の提案がなされている（特開２００５−０６４７４５号公報）。
【０００４】
しかし、この従来の装置の場合、補聴器に音声が連続して入力されると、音声の最初の部分から、現在の入力音と話速変換後の音とがほぼ一致するまで、入力音の時間圧縮による話速変換を実行して出力タイミングをアップするといった複雑な処理を施す必要がある。また、そのように複雑な処理をする割には、その所期の効果が十分に得られないという問題もある。
【０００５】
更に、この装置においては、ＤＳＰ処理がリアルタイムでなされるとしても、その処理には数十ミリ秒はかかるところ、相手ではなく自身の発声時に発声と聴取に若干の時間的ずれが生ずるため、聴取に違和感が生ずることを免れ得ない。
【０００６】
【特許文献１】特開２００５−０６４７４５号公報
【発明の開示】
【発明が解決しようとする課題】
【０００７】
本発明は、上述したような、従来の補聴器における欠点に鑑みてなされたもので、入力音から抽出した音声区間に基づいて、また、補聴器装着者自身の発声に伴う骨振動を抽出することにより、出力音の開閉を制御することができ、以て、音声でのみ動作し、しかも、装着者自身の発声時における聴取に違和感が生じない補聴器を提供することを課題とする。
【課題を解決するための手段】
【０００８】
上記課題を解決するための請求項１に記載の発明は、音を入力する集音マイクロホンと、前記集音マイクロホンにより入力された音が音声か非音声かの判別をし、音声との判別をした場合にスピーカにより出力される音声を出力するＤＳＰと、前記ＤＳＰにより判別された音声を増幅するアンプと、前記アンプにより増幅された音声を出力する前記スピーカと、前記ＤＳＰに接続され、装着者の音声を入力する骨伝導マイクロホンとを備え、前記骨伝導マイクロホンからの出力によって前記ＤＳＰの動作を制御可能にしたことを特徴とする補聴器である。
【０００９】
好ましくは更に、前記骨伝導マイクロホンと前記ＤＳＰとの間に、装着者の音声の骨伝導の範囲の周波数のみを通すバンドパスフィルタを介在させる。前記スピーカは骨伝導スピーカとされることもある。
【００１０】
一実施形態においては、本補聴器は、メガネ型とされて、前記骨伝導マイクロホンを前記メガネのテンプルに内蔵し、前記骨伝導スピーカを前記メガネのモダンの先端部に内蔵して構成される。
【００１１】
また、骨伝導スピーカはヘッドバンドに組み込んだり、スロートマイクとしたりすることもある。
【発明の効果】
【００１２】
本発明は上述した通りであって、本発明の補聴器によれば、ＤＳＰによる処理によって、集音された音が音声か非音声かによって補聴器の出力が制御され、また、装着者自身の発声に伴う骨振動に基づいてＤＳＰの処理が制御されるため、相手方の発声の聴取を支障なく行うことができると共に、装着者自身の発声時における聴取に違和感が生ずることを防止し得る効果がある。
【００１３】
また、本発明に係る補聴器によれば、非音声による出力が抑制されるため、相手がいない時、リラックスしている時等に、急な外部音による大音量で驚かされるようなことがなくなり、使用感が向上する。更に、マイクロホンのこすれ音も拾わないので、不注意でマイクロホンに触っても雑音が出ず、この点でも使用感が良くなる。
【発明を実施するための最良の形態】
【００１４】
本発明を実施するための最良の形態を、添付図面に依拠して説明する。図１は、本発明に係る補聴器の構成を示すブロック図である。本補聴器は、外部音を集音する集音マイクロホン１と、補聴器装着者に対し放音するスピーカ４と、装着者の人体に当接するようにして用いられ、装着者の発声に伴う骨振動をピックアップする骨伝導マイクロホン５と、本体部７とで構成される。
【００１５】
本補聴器においては、集音マイクロホン１で外部音声が集音され、集音マイクロホン１は、その外部からの音声に応じて電気的出力を発生し、これを、図１において点線で示す本体部７に供給する。集音マイクロホン１としては、エレクトレットマイクロホンが用いられることが多いが、これに限られる訳ではない。
【００１６】
本体部７は、集音マイクロホン１からの出力に応じてスピーカ４に対する電気的出力を発生し、スピーカ４は、本体部７において濾波され且つ増幅された音声を、補聴器装着者の耳孔内へ送出する。
【００１７】
本体部７には、図示しないＡ／Ｄ変換を行なう手段と、集音マイクロホン１で拾った音が音声か非音声かを判別濾波するデジタル信号処理を行なうＤＳＰ２と、ＤＳＰ２から送出された音声を増幅するアンプ３と、図示しないＤ／Ａ変換を行なう手段が組み込まれる。図示していないが、更に本体部７には、電源が組み込まれ、また、操作スイッチ等が設置される。
【００１８】
骨伝導マイクロホン５は、装着者の音声を骨導音として入力するものであって、ＤＳＰ２に接続される。骨伝導マイクロホン５は、装着者の発声の骨振動を拾うのに好適な位置、好ましくは耳珠に当接する位置に配置される。骨伝導マイクロホン５とＤＳＰ２との間には、装着者の音声の骨振動の範囲の周波数のみを通し、他の周波数は通さない処理を行なうバンドパスフィルタ６を介在させることが好ましい。スピーカ４は、イヤホン又は骨伝導スピーカ８とすることができる。
【００１９】
ＤＳＰ２としては、現在既知の、適当な音声認識アルゴリズムを実行するものを用いることができる。ＤＳＰ２は、集音マイクロホン１からの入力音から音声区間を判別濾波し、判別された音声のみをアンプ３に送出する。
【００２０】
骨伝導マイクロホン５は、装着者の骨導音を感知し、周囲の音は感知し難いので、骨伝導マイクロホン５の出力は、ＤＳＰ２において、音声か非音声かの判断並びに濾波の処理を経ることなく、スピーカ４へ出力される。即ち、装着者自身の発声音は、ＤＳＰ処理を経ることなく、直ちにスピーカ４へ出力されることになるので、発声と聴取との時間的ずれによって聴取に違和感を感ずることはない。
【００２１】
上記のとおり、本発明に係る補聴器は、本来補聴器が有する集音マイクロホン１とは別に、骨伝導マイクロホン５を有している。そして、集音マイクロホン１からの入力音につき、ＤＳＰ２において、音声区間か否かの判別がなされる。その一方、装着者の発声時には、その発声に伴う骨振動が骨伝導マイクロホン５によってピックアップされ、上記ＤＳＰ２による判別処理と並行して、バンドパスフィルタ６において、装着者の音声の骨振動の範囲の周波数のみを通し、他の周波数は通さない処理が行なわれる。バンドパスフィルタ６については、予め、使用者の音声の骨振動の範囲の周波数に対応させるための調整がなされる。
【００２２】
ＤＳＰ２においては、音声区間の判別濾波に基づき、あるいは、バンドパスフィルタ６の出力に基づいて、集音マイクロホン１により入力された音声、あるいは、骨伝導マイクロホン５により入力された音声をアンプ３に送出するか否かの切り替え動作が行なわれる。
【００２３】
このように、本発明に係る補聴器においては、集音マイクロホン１が入力する音声区間の情報を判別することによって、あるいは、装着者が発する音声の骨振動を検出することによって、スピーカ４の出力音が制御される。
【００２４】
骨伝導マイクロホン５は、イヤーマイクタイプのものの他、用途に応じて、例えば、スロートマイクロホンとしたり、ヘッドバンドに組み込んだりすることができる。
【００２５】
また、スピーカ４として骨伝導スピーカ８を使用することができ、その場合には、図２に示すように、骨伝導マイクロホン５を前記メガネのテンプルに内蔵し、骨伝導スピーカ８をメガネのモダンの先端部に内蔵したメガネ型の補聴器とすることができる。図示した例では、集音マイクロホン１は別体とされ、本体部７と骨伝導マイクロホン５及び骨伝導スピーカ８とを接続するコードの途中に配置されている。
【００２６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２７】
【図１】本発明に係る補聴器の構成を示すブロック図である。
【図２】本発明に係る補聴器をメガネ型に構成した例を示す図である。
【符号の説明】
【００２８】
１    集音マイクロホン
２    ＤＳＰ
３    アンプ
４    スピーカ
５    骨伝導マイクロホン
６    バンドパスフィルタ
７    本体部
８    骨伝導スピーカ
【図１】
2009212715.tif 000003
【図２】
2009212715.tif 000004